(57)【要約】【課題】印刷機により作成される印刷物の濃度を変更する際、濃度変更を行うオペレータの感覚に高精度に一致した印刷物の色予測を容易且つ迅速に行うことのできる印刷色予測方法及び予測システムを提供する。【解決手段】プロファイル作成装置２４において、基準濃度条件で印刷したカラーチャートＣ１の基準分光反射率と、Ｃ、Ｍ、Ｙ、Ｋの１つの色の濃度を変更濃度設定値に変更する一方、他の色の濃度を基準濃度設定値に固定して印刷した各色のカラーチャートＣ１の分光反射率の差分量とを、単色ベタ濃度算出部３８で算出した基準濃度設定値に対する濃度差を用いて修正し、修正した修正基準分光反射率及び分光反射率差分量に基づいて、所望の目標濃度に対する印刷予測プロファイル２０を作成し、この印刷予測プロファイル２０を用いて、所望の色の濃度を変更した際の印刷物における色を高精度に予測する。【選択図】図３
2010074231.tif 000002
【特許請求の範囲】
【請求項１】
印刷機を用いて作成される印刷物の色を予測する印刷色予測方法において、
基準濃度の印刷物を得るための基準濃度条件を印刷機に設定して基準濃度カラーチャートを作成し、前記基準濃度カラーチャートを測定することで基準測定値を求めるステップと、
前記印刷物を作成するための各色材の濃度をそれぞれ所定量だけ単独に変更する一方、濃度を変更する当該色材を除く他の色材の濃度を前記基準濃度条件に固定した変更濃度条件を前記印刷機に設定して変更濃度カラーチャートを作成し、前記変更濃度カラーチャートを測定することで変更測定値を求めるステップと、
前記各色材により作成された前記基準濃度カラーチャートの単色基準濃度を求めるステップと、
前記各色材により作成された前記変更濃度カラーチャートの単色変更濃度を求めるステップと、
前記単色基準濃度に対する前記基準測定値、及び、前記単色変更濃度に対する前記変更測定値を、それぞれ、前記基準濃度条件として設定される前記各色材の基準濃度設定値に対する修正基準測定値と、前記変更濃度条件として設定される前記各色材の変更濃度設定値に対する修正変更測定値と前記修正基準測定値との差分量とからなる関係式で表し、前記関係式から前記修正基準測定値及び前記差分量を求めるステップと、
を有し、前記修正基準測定値及び前記差分量を用いて、所望の前記変更濃度条件を設定した際の前記印刷物の色を予測することを特徴とする印刷色予測方法。
【請求項２】
請求項１記載の方法において、
前記基準測定値及び前記変更測定値は、それぞれ、前記修正基準測定値に対して、前記単色基準濃度と前記基準濃度設定値との差に基づく係数を掛けた前記変更濃度設定値毎の前記差分量を加算した前記関係式、及び、前記修正基準測定値に対して、前記単色変更濃度と前記変更濃度設定値との差に基づく係数を掛けた前記変更濃度設定値毎の前記差分量を加算した前記関係式で表すことを特徴とする印刷色予測方法。
【請求項３】
請求項１記載の方法において、
前記各色材に対する前記差分量を所望の前記変更濃度設定値に従って補間し、その補間値と前記修正基準測定値とを加算して得られる値に基づき、前記印刷物の色を予測することを特徴とする印刷色予測方法。
【請求項４】
請求項１記載の方法において、
前記修正基準測定値及び前記差分量は、前記基準濃度カラーチャート及び前記変更濃度カラーチャートの印刷位置毎に求めることを特徴とする印刷色予測方法。
【請求項５】
請求項１記載の方法において、
前記基準測定値及び前記変更測定値は、分光反射率であることを特徴とする印刷色予測方法。
【請求項６】
請求項１記載の方法において、
前記基準測定値及び前記変更測定値は、分光濃度であることを特徴とする印刷色予測方法。
【請求項７】
請求項１記載の方法において、
前記基準測定値及び前記変更測定値は、測色濃度であることを特徴とする印刷色予測方法。
【請求項８】
請求項１記載の方法において、
前記基準測定値及び前記変更測定値は、測色値であることを特徴とする印刷色予測方法。
【請求項９】
印刷機を用いて作成される印刷物の色を予測する印刷色予測システムにおいて、
基準濃度の印刷物を得るための基準濃度条件を印刷機に設定して作成される基準濃度カラーチャートを測定して得られる基準測定値と、前記印刷物を作成するための各色材の濃度をそれぞれ所定量だけ単独に変更する一方、濃度を変更する当該色材を除く他の色材の濃度を前記基準濃度条件に固定した変更濃度条件を前記印刷機に設定して作成される変更濃度カラーチャートを測定して得られる変更測定値とを、それぞれ、前記基準濃度条件として設定される前記各色材の基準濃度設定値に対する修正基準測定値と、前記変更濃度条件として設定される前記各色材の変更濃度設定値に対する修正変更測定値と前記修正基準測定値との差分量とからなる関係式で表し、前記関係式から前記修正基準測定値及び前記差分量を求める算出部と、
前記修正基準測定値及び前記差分量を記憶する記憶部と、
前記各色材の目標濃度を設定する設定部と、
前記基準濃度と異なる前記目標濃度が設定された当該色材に対する当該差分量を用いて前記修正基準測定値を調整し、前記基準濃度カラーチャートを作成するデータと、調整された前記修正基準測定値との関係に基づき、印刷予測プロファイルを作成する作成部と、
を備え、前記印刷予測プロファイルを用いて前記目標濃度を設定した前記印刷物の色を予測することを特徴とする印刷色予測システム。
【請求項１０】
請求項９記載のシステムにおいて、
前記印刷予測プロファイルを用いて算出された前記印刷物の色予測値を出力装置の出力データに変換する出力プロファイルを有し、前記出力プロファイルを用いて前記出力装置により前記印刷物のプルーフを出力することを特徴とする印刷色予測システム。
【請求項１１】
請求項９記載のシステムにおいて、
前記作成部は、前記基準濃度と異なる前記目標濃度が設定された当該色材に対する当該差分量を前記修正基準測定値に加算して調整することを特徴とする印刷色予測システム。
【請求項１２】
請求項９記載のシステムにおいて、
前記作成部は、前記各色材に対する前記差分量を前記目標濃度に従って補間し、その補間値を前記修正基準測定値に加算して調整することを特徴とする印刷色予測システム。
【請求項１３】
請求項９記載のシステムにおいて、
前記基準測定値及び前記変更測定値は、分光反射率であることを特徴とする印刷色予測システム。
【請求項１４】
請求項９記載のシステムにおいて、
前記基準測定値及び前記変更測定値は、分光濃度であることを特徴とする印刷色予測システム。
【請求項１５】
請求項９記載のシステムにおいて、
前記基準測定値及び前記変更測定値は、測色濃度であることを特徴とする印刷色予測システム。
【請求項１６】
請求項９記載のシステムにおいて、
前記基準測定値及び前記変更測定値は、測色値であることを特徴とする印刷色予測システム。
【請求項１７】
請求項９記載のシステムにおいて、
前記作成部は、前記印刷物に使用する印刷用紙の色情報に基づき、前記印刷予測プロファイルを修正することを特徴とする印刷色予測システム。
【請求項１８】
請求項９記載のシステムにおいて、
前記作成部は、前記印刷機のドットゲインの変動前後の前記基準測定値の変化に基づき、前記印刷予測プロファイルを修正することを特徴とする印刷色予測システム。
【請求項１９】
請求項９記載のシステムにおいて、
前記作成部は、前記印刷物を作成する色材の変更前後の前記基準測定値の変化に基づき、前記印刷予測プロファイルを修正することを特徴とする印刷色予測システム。
【発明の詳細な説明】
【技術分野】
【０００１】
本発明は、印刷機を用いて作成される印刷物の色を予測する印刷色予測方法及び予測システムに関する。
【背景技術】
【０００２】
印刷物は、例えば、Ｃ、Ｍ、Ｙ、Ｋの各色毎のフイルム原版を作成し、各フイルム原版からＰＳ版（Ｐｒｅｓｅｎｓｉｔｉｚｅｄ  Ｐｌａｔｅ）を焼き付けて現像した後、これらのＰＳ版を輪転機等の印刷機に装着し、インキの膜厚、湿し水、温度等の印刷条件を調整して作成される。
【０００３】
このように、印刷物は、複雑な工程を経て作成されている。従って、所望の色合いからなる印刷物を得るため、印刷物の作成に先立ち、モニタやカラープリンタ等の簡便な出力装置を用いてプルーフを作成し、そのプルーフが目標とする印刷物の色合いとなるように、印刷条件を調整する作業が行われる。
【０００４】
例えば、特許文献１では、プルーフの色合いが目標とする印刷物の色合いに対して許容範囲内である場合、ＰＳ版を作成するための製版データ、及び、印刷条件として印刷機に設定する目標濃度をそのままにして印刷物を作成する一方、プルーフの色合いが許容範囲内でない場合には、製版データを修正し、あるいは、印刷条件の目標濃度に関係するパラメータである目標混色網濃度又は目標網点面積率を変更した後、再度プルーフを作成する処理を繰り返すことにより、所望の色合いからなる印刷物を得るようにしている。
【０００５】
【特許文献１】特開２００７−２０８４９２号公報
【発明の開示】
【発明が解決しようとする課題】
【０００６】
ところで、印刷物の色合いの調整作業は、通常、オペレータがインキキーを調整することで、各インキのベタ濃度（網点％を１００％としたときの単色画像の濃度）を変更して行われる。この場合、目標混色網濃度又は目標網点面積率の変更によるプルーフの濃度変更と、インキキーを用いた印刷物の濃度変更とでは、調整を行うオペレータの感覚が一致しないため、プルーフに従った所望の色合いの印刷物が得られない可能性がある。
【０００７】
また、印刷機では、インキキーを目標濃度に設定しても、印刷機構が複雑であるため、必ずしも目標濃度通りの印刷物が得られるとは限らない。従って、実際に得られる印刷物の濃度と、プルーフの濃度とが一致しない事態が発生してしまう。
【０００８】
本発明は、前記の不具合を解消するためになされたものであり、印刷機により作成される印刷物の濃度を変更する際、濃度変更を行うオペレータの感覚に高精度に一致した印刷物の色予測を容易且つ迅速に行うことのできる印刷色予測方法及び予測システムを提供することを目的とする。
【課題を解決するための手段】
【０００９】
本発明の印刷色予測方法は、印刷機を用いて作成される印刷物の色を予測する印刷色予測方法において、
基準濃度の印刷物を得るための基準濃度条件を印刷機に設定して基準濃度カラーチャートを作成し、前記基準濃度カラーチャートを測定することで基準測定値を求めるステップと、
前記印刷物を作成するための各色材の濃度をそれぞれ所定量だけ単独に変更する一方、濃度を変更する当該色材を除く他の色材の濃度を前記基準濃度条件に固定した変更濃度条件を前記印刷機に設定して変更濃度カラーチャートを作成し、前記変更濃度カラーチャートを測定することで変更測定値を求めるステップと、
前記各色材により作成された前記基準濃度カラーチャートの単色基準濃度を求めるステップと、
前記各色材により作成された前記変更濃度カラーチャートの単色変更濃度を求めるステップと、
前記単色基準濃度に対する前記基準測定値、及び、前記単色変更濃度に対する前記変更測定値を、それぞれ、前記基準濃度条件として設定される前記各色材の基準濃度設定値に対する修正基準測定値と、前記変更濃度条件として設定される前記各色材の変更濃度設定値に対する修正変更測定値と前記修正基準測定値との差分量とからなる関係式で表し、前記関係式から前記修正基準測定値及び前記差分量を求めるステップと、
を有し、前記修正基準測定値及び前記差分量を用いて、所望の前記変更濃度条件を設定した際の前記印刷物の色を予測することを特徴とする。
【００１０】
また、本発明の印刷色予測システムは、印刷機を用いて作成される印刷物の色を予測する印刷色予測システムにおいて、
基準濃度の印刷物を得るための基準濃度条件を印刷機に設定して作成される基準濃度カラーチャートを測定して得られる基準測定値と、前記印刷物を作成するための各色材の濃度をそれぞれ所定量だけ単独に変更する一方、濃度を変更する当該色材を除く他の色材の濃度を前記基準濃度条件に固定した変更濃度条件を前記印刷機に設定して作成される変更濃度カラーチャートを測定して得られる変更測定値とを、それぞれ、前記基準濃度条件として設定される前記各色材の基準濃度設定値に対する修正基準測定値と、前記変更濃度条件として設定される前記各色材の変更濃度設定値に対する修正変更測定値と前記修正基準測定値との差分量とからなる関係式で表し、前記関係式から前記修正基準測定値及び前記差分量を求める算出部と、
前記修正基準測定値及び前記差分量を記憶する記憶部と、
前記各色材の目標濃度を設定する設定部と、
前記基準濃度と異なる前記目標濃度が設定された当該色材に対する当該差分量を用いて前記修正基準測定値を調整し、前記基準濃度カラーチャートを作成するデータと、調整された前記修正基準測定値との関係に基づき、印刷予測プロファイルを作成する作成部と、
を備え、前記印刷予測プロファイルを用いて前記目標濃度を設定した前記印刷物の色を予測することを特徴とする。
【発明の効果】
【００１１】
本発明の印刷色予測方法及び予測システムでは、印刷機により作成される印刷物の濃度を変更する際、オペレータによる濃度変更に対して、オペレータの感覚に高精度に一致した印刷物のプルーフを容易且つ迅速に作成し、このプルーフを用いて印刷物の色を高精度に予測することができる。
【発明を実施するための最良の形態】
【００１２】
図１は、本実施形態の印刷色予測システム１０を示す。印刷色予測システム１０は、Ｃ、Ｍ、Ｙ、Ｋの各色を制御する画像データＣ１、Ｍ１、Ｙ１、Ｋ１を編集する編集装置１２と、編集された画像データＣ１、Ｍ１、Ｙ１、Ｋ１を用いて印刷物Ｐ１を作成する印刷機１４と、画像データＣ１、Ｍ１、Ｙ１、Ｋ１を、色予測するための画像データＣ２、Ｍ２、Ｙ２、Ｋ２に変換する色変換装置１６と、画像データＣ２、Ｍ２、Ｙ２、Ｋ２を用いて印刷物Ｐ１のプルーフＰ２を作成するプリンタ１８と、色変換装置１６に組み込まれる印刷予測プロファイル２０及びプリンタプロファイル２２を作成するプロファイル作成装置２４とを備える。
【００１３】
印刷予測プロファイル２０は、印刷機１４によって作成される印刷物Ｐ１のデバイスに依存しない測色値、例えば、測色値Ｘ、Ｙ、Ｚ又は測色値Ｌ*、ａ*、ｂ*を予測するためのプロファイルであり、既知の画像データＣ、Ｍ、Ｙ、Ｋと、この画像データＣ、Ｍ、Ｙ、Ｋから印刷機１４を用いて作成されたカラーチャートＣ１の測定値とに基づいて、プロファイル作成装置２４により作成される。
【００１４】
ここで、印刷機１４を用いて作成されるカラーチャートＣ１は、図２に示すように、Ｃ、Ｍ、Ｙ、Ｋの各インキ（色材）の網点％を１００％に設定し、所定の印刷用紙２６にオペレータが設定する濃度設定値で作成される単色ベタ濃度パッチ２８と、Ｃ、Ｍ、Ｙ、Ｋの各インキの網点％を０〜１００％の範囲で所定間隔に設定して作成される１次色〜４次色の多数のカラーパッチ３０とから構成される。カラーチャートＣ１は、矢印ｘ方向に配列された多数のインキキー３２によってＣ、Ｍ、Ｙ、Ｋの各インキの膜厚が調整され、印刷用紙２６を矢印ｙ方向に搬送させることで作成される。各インキキー３２は、カラーチャートＣ１の各インキの濃度を調整する。なお、単色ベタ濃度パッチ２８は、印刷用紙２６の矢印ｘ方向に対する濃度むらの補正のため、インキキー３２の配列方向（矢印ｘ方向）に延在して形成される。
【００１５】
プリンタプロファイル２２は、印刷予測プロファイル２０によって予測された印刷物Ｐ１のデバイスに依存しない測色値、例えば、測色値Ｘ、Ｙ、Ｚ又は測色値Ｌ*、ａ*、ｂ*を、プリンタ１８の出力特性に依存する画像データＣ、Ｍ、Ｙ、Ｋに変換するためのプロファイルであり、既知の画像データＣ、Ｍ、Ｙ、Ｋと、この画像データＣ、Ｍ、Ｙ、Ｋからプリンタ１８を用いて作成されたカラーチャートＣ２の測定値とに基づいて、プロファイル作成装置２４により作成される。
【００１６】
図３は、プロファイル作成装置２４のうち、印刷予測プロファイル２０を作成する機能の構成ブロック図である。プロファイル作成装置２４は、オペレータが設定した濃度設定値で作成されたカラーチャートＣ１の分光反射率を測定する分光反射率測定器３４と、得られた分光反射率を記憶する分光反射率記憶部３６と、単色ベタ濃度パッチ２８の分光反射率から単色ベタ濃度を算出する単色ベタ濃度算出部３８と、基準濃度の印刷物Ｐ１を得るための基準濃度条件である基準濃度設定値と算出した前記単色ベタ濃度との濃度差を算出する濃度差算出部４０と、単色ベタ濃度パッチ２８及びカラーパッチ３０の分光反射率と前記濃度差とを用いて、修正基準分光反射率及び分光反射率差分量を算出する修正基準分光反射率／分光反射率差分量算出部４２と、修正基準分光反射率及び分光反射率差分量を記憶する修正基準分光反射率／分光反射率差分量記憶部４４と、Ｃ、Ｍ、Ｙ、Ｋの各色に対して、所望の目標濃度を設定する目標濃度設定部４６と、修正基準分光反射率、分光反射率差分量及び目標濃度を用いて、目標濃度を得ることのできる目標分光反射率を算出する目標分光反射率算出部４８と、目標分光反射率を用いて印刷予測プロファイル２０を作成する印刷予測プロファイル作成部５０とを備える。
【００１７】
ここで、修正基準分光反射率は、基準濃度条件として基準濃度設定値を設定して作成されたカラーチャートＣ１が前記基準濃度設定値通りの濃度で作成されたとしたときの分光反射率である。また、分光反射率差分量は、前記修正基準分光反射率と、変更濃度条件として変更濃度設定値を設定して作成されたカラーチャートＣ１が前記変更濃度設定値通りの濃度で作成されたとしたときの分光反射率との差分量である。
【００１８】
なお、基準濃度条件とは、Ｃ、Ｍ、Ｙ、Ｋの各インキに対する網点％を１００％に設定してカラーチャートＣ１を作成した際、そのカラーチャートＣ１の各インキの濃度がユーザである印刷会社等で規定している基準濃度となるように、印刷機１４の膜厚等の印刷条件を調整する条件である。また、変更濃度条件とは、Ｃ、Ｍ、Ｙ、Ｋの各インキの濃度を基準濃度からそれぞれ所定量だけ単独に変更する一方、変更するインキを除く他のインキの濃度を基準濃度に固定する条件である。
【００１９】
図４は、プロファイル作成装置２４のうち、プリンタプロファイル２２を作成する機能の構成ブロック図である。プロファイル作成装置２４は、プリンタ１８により作成したカラーチャートＣ２の測色値、例えば、測色値Ｘ、Ｙ、Ｚ又は測色値Ｌ*、ａ*、ｂ*を測定する測色計５２と、測定された測色値を用いてプリンタプロファイル２２を作成するプリンタプロファイル作成部５４とを備える。
【００２０】
本実施形態の印刷色予測システム１０は、基本的には以上のように構成されるものであり、次に、この印刷色予測システム１０を用いた印刷色予測方法につき、図５に示すフローチャートに基づいて説明する。
【００２１】
先ず、編集装置１２から既知の画像データＣ１、Ｍ１、Ｙ１、Ｋ１を印刷機１４に供給し、印刷機１４を基準濃度条件に設定してカラーチャートＣ１（基準濃度カラーチャート）を印刷する（ステップＳ１）。この場合、０％〜１００％の範囲における所定の間隔で画像データＣ１、Ｍ１、Ｙ１、Ｋ１の各網点％を設定し、複数の単色ベタ濃度パッチ２８及びカラーパッチ３０からなるカラーチャートＣ１を作成する（図２）。
【００２２】
基準濃度条件に設定された印刷機１４により作成されたカラーチャートＣ１の単色ベタ濃度パッチ２８及びカラーパッチ３０は、分光反射率測定器３４によって分光反射率が測定され（ステップＳ２）、その分光反射率が基準濃度分光反射率（基準測定値）として分光反射率記憶部３６に記憶される（ステップＳ３）。
【００２３】
次いで、印刷機１４の基準濃度条件を所定の変更濃度条件に変更し、カラーチャートＣ１を作成した場合と同一の画像データＣ１、Ｍ１、Ｙ１、Ｋ１を用いて、カラーチャートＣ１（変更濃度カラーチャート）を印刷する（ステップＳ４）。この場合、印刷機１４の変更濃度条件は、網点％が１００％に設定されたＣ、Ｍ、Ｙ、Ｋの各インキによって作成される単色ベタ濃度パッチ２８の濃度を、各インキ毎に単独に変更する一方、変更する当該インキを除く他のインキの濃度を基準濃度に固定することにより、基準濃度条件での基準濃度に対して、例えば、光学濃度で−０．２、−０．１、＋０．１、＋０．２となるように設定される。従って、これらの変更濃度条件に従って作成されるカラーチャートＣ１は、１００％のＣ、Ｍ、Ｙ、Ｋの各色を、基準濃度−０．２、基準濃度−０．１、基準濃度＋０．１、基準濃度＋０．２に設定した１６枚となる。
【００２４】
変更濃度条件に従い印刷機１４により作成されたカラーチャートＣ１の単色ベタ濃度パッチ２８及びカラーパッチ３０は、分光反射率測定器３４によって分光反射率が測定され（ステップＳ５）、その分光反射率が変更濃度分光反射率（変更測定値）として分光反射率記憶部３６に記憶される（ステップＳ６）。
【００２５】
ここで、例えば、Ｃ１００％のみからなる単色ベタ濃度パッチ２８の基準濃度条件での分光反射率をＲC(std)、Ｍ１００％のみからなる単色ベタ濃度パッチ２８の基準濃度条件での分光反射率をＲM(std)、Ｃ１００％のみからなる単色ベタ濃度パッチ２８の所定の変更濃度条件での変更濃度分光反射率を（ＲC(std)＋ΔＲC）、Ｍ１００％のみからなる単色ベタ濃度パッチ２８の所定の変更濃度条件での変更濃度分光反射率を（ＲM(std)＋ΔＲM）とすると、Ｃ１００％且つＭ１００％の網点％からなるカラーパッチ３０を所定の変更濃度条件で作成したときの分光反射率ＲCMは、
ＲCM＝（ＲC(std)＋ΔＲC）・（ＲM(std)＋ΔＲM）
＝ＲC(std)・ＲM(std)
＋｛ＲM(std)・（ＲC(std)＋ΔＲC）−ＲC(std)・ＲM(std)｝
＋｛ＲC(std)・（ＲM(std)＋ΔＲM）−ＲC(std)・ＲM(std)｝
＋ΔＲC・ΔＲM                                      …（１）
と表すことができる。この場合、（１）式の右辺第４項を微小量として０とみなすと、右辺第１項は、Ｃ１００％且つＭ１００％の網点％からなるカラーパッチ３０を基準濃度条件で作成したときの基準分光反射率を表し、右辺第２項は、Ｃ１００％且つＭ１００％の網点％からなるカラーパッチ３０のＣ１００％のみの濃度を所定の変更濃度条件に変更したときの変更濃度分光反射率の前記基準濃度条件からの差分量を表し、右辺第３項は、Ｃ１００％且つＭ１００％の網点％からなるカラーパッチ３０のＭ１００％のみの濃度を所定の変更濃度条件に変更したときの変更濃度分光反射率の前記基準濃度条件からの差分量を表している。
【００２６】
従って、Ｃ及びＭの両方の色の濃度を変更させたときの分光反射率ＲCMは、Ｃ又はＭの一方の濃度を固定した状態で他方の濃度を変更させたときの各差分量を、基準濃度条件での基準分光反射率ＲC(std)・ＲM(std)に加算して求めることができる。
【００２７】
図６は、基準濃度条件で作成されたＣ１００％且つＭ１００％の網点％からなるカラーパッチ３０の分光反射率ＲCM(std)と、Ｃ１００％を基準濃度に固定し、Ｍ１００％のみを（基準濃度−０．１）に変更した変更濃度条件で作成したカラーパッチ３０の分光反射率ＲCM(M-0.1)と、Ｍ１００％を基準濃度に固定し、Ｃ１００％のみを（基準濃度−０．１）に変更した変更濃度条件で作成したカラーパッチ３０の分光反射率ＲCM(C-0.1)と、Ｃ１００％及びＭ１００％をともに（基準濃度−０．１）に変更した変更濃度条件で作成したカラーパッチ３０の分光反射率ＲCM(ALL-0.1)との測定結果を示す。
【００２８】
また、図７は、基準濃度条件で作成されたＣ１００％且つＭ１００％の網点％からなるカラーパッチ３０の分光反射率ＲCM(std)と、Ｃ１００％を基準濃度に固定し、Ｍ１００％のみを（基準濃度＋０．１）に変更した変更濃度条件で作成したカラーパッチ３０の分光反射率ＲCM(M+0.1)と、Ｍ１００％を基準濃度に固定し、Ｃ１００％のみを（基準濃度＋０．１）に変更した変更濃度条件で作成したカラーパッチ３０の分光反射率ＲCM(C+0.1)と、Ｃ１００％及びＭ１００％をともに（基準濃度＋０．１）に変更した変更濃度条件で作成したカラーパッチの分光反射率ＲCM(ALL+0.1)との測定結果を示す。
【００２９】
この場合、分光反射率ＲCM(ALL-0.1)は、
ＲCM(ALL-0.1)＝ＲCM(std)＋（ＲCM(C-0.1)−ＲCM(std)）
＋（ＲCM(M-0.1)−ＲCM(std)）
として、分光反射率ＲCM(ALL+0.1)は、
ＲCM(ALL+0.1)＝ＲCM(std)＋（ＲCM(C+0.1)−ＲCM(std)）
＋（ＲCM(M+0.1)−ＲCM(std)）
として近似的に求められることが了解できる。
【００３０】
以上の結果から、所望の変更濃度条件でＣ、Ｍ、Ｙ、Ｋを任意の目標濃度に変更したときの目標とする変更濃度分光反射率である目標分光反射率Ｒは、基準分光反射率をＲstd、Ｃのみの濃度を変更したときの分光反射率差分量をＲΔC、Ｍのみの濃度を変更したときの分光反射率差分量をＲΔM、Ｙのみの濃度を変更したときの分光反射率差分量をＲΔY、Ｋのみの濃度を変更したときの分光反射率差分量をＲΔKとすると、（１）式から、
Ｒ＝Ｒstd＋ＲΔC＋ＲΔM＋ＲΔY＋ＲΔK                        …（２）
として近似的に求めることができる。
【００３１】
ところで、（２）式の近似式は、基準濃度条件及び変更濃度条件を設定して作成したカラーチャートＣ１を構成する単色ベタ濃度パッチ２８及びカラーパッチ３０が、オペレータが設定した基準濃度設定値及び変更濃度設定値通りの濃度になっていることを前提としたものである。実際には、基準濃度設定値及び変更濃度設定値通りの濃度からなるカラーチャートＣ１を得ることは不可能である。
【００３２】
そこで、単色ベタ濃度算出部３８において、カラーチャートＣ１の単色ベタ濃度パッチ２８の分光反射率から、基準濃度条件及び変更濃度条件での単色ベタ濃度を算出する（ステップＳ７）。なお、単色ベタ濃度は、分光反射率測定器３４により測定した分光反射率から算出する代わりに、濃度計を用いて直接測定してもよい。次いで、濃度差算出部４０において、算出した各単色ベタ濃度と基準濃度設定値との濃度差を算出する（ステップＳ８）。
【００３３】
この場合、Ｃ、Ｍ、Ｙ、Ｋの各単色の基準濃度設定値をＣ、Ｍ、Ｙ、Ｋ、基準濃度設定値に対する単色ベタ濃度パッチ２８の濃度差をΔＣ、ΔＭ、ΔＹ、ΔＫ、基準濃度設定値Ｃ、Ｍ、Ｙ、Ｋ通りの濃度が得られるとしたときの分光反射率である修正基準分光反射率をＲstd（Ｃ，Ｍ，Ｙ，Ｋ）、Ｃのみの基準濃度設定値をΔＣだけ変更し、変更濃度設定値Ｃ＋ΔＣ通りの濃度が得られるとしたときの分光反射率と修正基準分光反射率との差分量をＲΔC（Ｃ＋ΔＣ）、Ｍのみの基準濃度設定値をΔＭだけ変更し、変更濃度設定値Ｍ＋ΔＭ通りの濃度が得られるとしたときの分光反射率と修正基準分光反射率との差分量をＲΔM（Ｍ＋ΔＭ）、Ｙのみの基準濃度設定値をΔＹだけ変更し、変更濃度設定値Ｙ＋ΔＹ通りの濃度が得られるとしたときの分光反射率と修正基準分光反射率との差分量をＲΔY（Ｙ＋ΔＹ）、Ｋのみの基準濃度設定値をΔＫだけ変更し、変更濃度設定値Ｋ＋ΔＫ通りの濃度が得られるとしたときの分光反射率と修正基準分光反射率との差分量をＲΔK（Ｋ＋ΔＫ）とすると、カラーチャートＣ１を測定して得られた分光反射率Ｒ（Ｃ＋ΔＣ，Ｍ＋ΔＭ，Ｙ＋ΔＹ，Ｋ＋ΔＫ）は、（２）式から、
Ｒ（Ｃ＋ΔＣ，Ｍ＋ΔＭ，Ｙ＋ΔＹ，Ｋ＋ΔＫ）
＝Ｒstd（Ｃ，Ｍ，Ｙ，Ｋ）＋ＲΔC（Ｃ＋ΔＣ）＋ＲΔM（Ｍ＋ΔＭ）
＋ＲΔY（Ｙ＋ΔＹ）＋ＲΔK（Ｋ＋ΔＫ）                      （３）
となる。
【００３４】
（３）式において、例えば、変更濃度条件によりＣ、Ｍ、Ｙ、Ｋの各基準濃度を＋０．１だけ変更するものとすると、（３）式は、
Ｒ（Ｃ＋ΔＣ，Ｍ＋ΔＭ，Ｙ＋ΔＹ，Ｋ＋ΔＫ）
＝Ｒstd（Ｃ，Ｍ，Ｙ，Ｋ）＋１０・ΔＣ・ＲΔC（Ｃ＋０．１）
＋１０・ΔＭ・ＲΔM（Ｍ＋０．１）
＋１０・ΔＹ・ＲΔY（Ｙ＋０．１）＋１０・ΔＫ・ＲΔK（Ｋ＋０．１）
（４）
と近似することができる。（４）式において、分光反射率Ｒ（Ｃ＋ΔＣ，Ｍ＋ΔＭ，Ｙ＋ΔＹ，Ｋ＋ΔＫ）は、カラーチャートＣ１を測定して得られた値であり、既知である。また、濃度差ΔＣ、ΔＭ、ΔＹ、ΔＫは、濃度差算出部４０によって算出されている。一方、正確な基準濃度及び変更濃度を得るための修正基準分光反射率Ｒstd（Ｃ，Ｍ，Ｙ，Ｋ）、分光反射率差分量ＲΔC（Ｃ＋０．１）、ＲΔM（Ｍ＋０．１）、ＲΔY（Ｙ＋０．１）及びＲΔK（Ｋ＋０．１）は、未知数であり、これらの未知数を求めるには、５本の（４）式を連立させればよい。
【００３５】
この場合、複数の変更濃度条件を設定して得られる複数の分光反射率と、カラーチャートＣ１の濃度差との関係を用いて、これらの未知数を求めることができる（ステップＳ９）。例えば、Ｃ及びＭの２次色に対する目標分光反射率Ｒを求める場合、基準濃度設定値がＣ、Ｍ、この基準濃度条件で得られるカラーチャートＣ１の単色ベタ濃度がＣ＋０．０１、Ｍ−０．０１であるとすると、（４）式から、
Ｒ（Ｃ＋０．０１，Ｍ―０．０１）
＝Ｒstd（Ｃ，Ｍ，Ｙ，Ｋ）＋０．１・ＲΔC（Ｃ＋０．１）
＋０．１・ＲΔM（Ｍ−０．１）                              （５）
が得られる。この場合、未知の分光反射率差分量ＲΔC（Ｃ＋０．１）、ＲΔM（Ｍ−０．１）を求めるためには、Ｃを０．１、−０．１、Ｍを０．１、−０．１だけ変更することにより、
Ｒ（Ｃ＋０．１１，Ｍ＋０．００９）
＝Ｒstd（Ｃ，Ｍ，Ｙ，Ｋ）＋１．１・ＲΔC（Ｃ＋０．１）
＋０．０９・ＲΔM（Ｍ＋０．１）                            （６）
Ｒ（Ｃ−０．０９，Ｍ−０．０）
＝Ｒstd（Ｃ，Ｍ，Ｙ，Ｋ）＋０．９・ＲΔC（Ｃ−０．１）    （７）
Ｒ（Ｃ−０．０１，Ｍ＋０．１）
＝Ｒstd（Ｃ，Ｍ，Ｙ，Ｋ）＋０．１・ＲΔC（Ｃ−０．１）
＋ＲΔM（Ｍ＋０．１）                                      （８）
Ｒ（Ｃ＋０．０１，Ｍ−０．１１）
＝Ｒstd（Ｃ，Ｍ，Ｙ，Ｋ）＋０．１・ＲΔC（Ｃ＋０．１）
＋１．１・ＲΔM（Ｍ−０．１）                              （９）
が得られる。これらの（５）〜（９）式を連立させて解くことにより、任意の目標分光反射率Ｒを求めることができる。なお、Ｃを０．１だけ変更したときの単色ベタ濃度は、Ｃ＋０．１１、Ｍ−０．０１、Ｃを−０．１だけ変更したときの単色ベタ濃度は、Ｃ−０．０９、Ｍ−０．０、Ｍを０．１だけ変更したときの単色ベタ濃度は、Ｃ−０．０１、Ｍ＋０．１、Ｍを−０．１だけ変更したときの単色ベタ濃度は、Ｃ＋０．０１、Ｍ−０．１１である。また、（５）〜（９）式は、波長毎に連立させて解く。
【００３６】
以上のようにして算出された修正基準分光反射率Ｒstd（Ｃ，Ｍ，Ｙ，Ｋ）、分光反射率差分量ＲΔC（Ｃ＋０．１）、ＲΔM（Ｍ＋０．１）、ＲΔY（Ｙ＋０．１）及びＲΔK（Ｋ＋０．１）は、修正基準分光反射率／分光反射率差分量記憶部４４に記憶される（ステップＳ１０）。分光反射率差分量は、Ｃ、Ｍ、Ｙ、Ｋの各インキを変更濃度±０．１、±０．２等、任意の濃度だけ変更して求めてもよい。
【００３７】
なお、図２に示すように、修正基準分光反射率及び分光反射率差分量を算出するために用いられるカラーチャートＣ１は、インキキー３２の機械的な設定誤差等により、印刷方向（矢印ｙ方向）と直交する矢印ｘ方向に濃度むらを含んでいる場合がある。そこで、カラーチャートＣ１の矢印ｘ方向の各印刷位置毎に単色ベタ濃度パッチ２８の分光反射率を測定し、その印刷位置に応じた修正基準分光反射率及び分光反射率差分量を算出するようにしてもよい。また、任意の印刷位置における修正基準分光反射率及び分光反射率差分量を得るためには、各印刷位置における修正基準分光反射率及び分光反射率差分量を補間して求めればよい。
【００３８】
以上の準備処理が終了した後、基準濃度条件を任意の変更濃度条件に設定したときの印刷予測プロファイル２０を作成する。
【００３９】
目標濃度設定部４６を用いて、Ｃ、Ｍ、Ｙ、Ｋの各色に対する所望の目標濃度が設定されると（ステップＳ１１）、目標分光反射率算出部４８は、修正基準分光反射率／分光反射率差分量記憶部４４に記憶されている修正基準分光反射率Ｒstd、分光反射率差分量ＲΔC、ＲΔM、ＲΔY及びＲΔKを（２）式に代入することで目標分光反射率Ｒを算出する（ステップＳ１２）。なお、修正基準分光反射率Ｒstd、分光反射率差分量ＲΔC、ＲΔM、ＲΔY及びＲΔKの値は、（３）式に基づいて算出されている。
【００４０】
この場合、例えば、Ｃの基準濃度設定値のみを目標濃度に変更するときには、変更するＣの分光反射率差分量ＲΔCのみを修正基準分光反射率Ｒstdに加算し、他の分光反射率差分量ＲΔM、ＲΔY、ＲΔKを０として目標分光反射率Ｒを演算する。また、Ｃ及びＭの基準濃度設定値をそれぞれ目標濃度に変更するときには、変更するＣ及びＭの分光反射率差分量ＲΔC及びＲΔMを修正基準分光反射率Ｒstdに加算し、他の分光反射率差分量ＲΔY、ＲΔKを０として目標分光反射率Ｒを演算する。
【００４１】
ここで、Ｃ、Ｍ、Ｙ、Ｋの４色全ての基準濃度設定値をそれぞれ目標濃度に変更した場合には、（２）式に従って目標分光反射率Ｒを演算することができる。しかしながら、例えば、目標分光反射率Ｒを演算するための対象となるカラーパッチがＣ、Ｍ、Ｙの３色からなる場合、分光反射率差分量ＲΔKは、Ｋの濃度変更に関係なく理想的には０となるはずであるが、実際には、印刷や測定のばらつき等の影響により、０にならない場合がある。
【００４２】
そこで、Ｃ、Ｍ、Ｙ、Ｋの４色全ての基準濃度設定値をそれぞれ目標濃度に変更した場合においても、目標分光反射率Ｒを演算するための対象となるカラーパッチがＣ、Ｍ、Ｙの３色からなる場合には、分光反射率差分量ＲΔKを０に設定して目標分光反射率Ｒを演算することが望ましい。同様に、目標分光反射率Ｒを演算するための対象となるカラーパッチがＣ、Ｍの２色からなる場合は、分光反射率差分量ＲΔY、ＲΔKを０に設定して目標分光反射率Ｒを演算することが望ましい。
【００４３】
なお、分光反射率差分量ＲΔC、ＲΔM、ＲΔY、ＲΔKが、基準濃度条件のときの濃度に対して、例えば、光学濃度で−０．２、−０．１、＋０．１、＋０．２となるように調整された変更濃度条件に基づいて作成されており、設定された目標濃度の変更量が＋０．１５であるとき、濃度変更量が＋０．１の分光反射率差分量ＲΔC、ＲΔM、ＲΔY、ＲΔKと、濃度変更量が＋０．２の分光反射率差分量ＲΔC、ＲΔM、ＲΔY、ＲΔKとを補間することで、濃度変更量が＋０．１５に対する分光反射率差分量ＲΔC、ＲΔM、ＲΔY、ＲΔKを求めることができる。補間方法としては、線形補間、スプライン補間、多項式近似等、周知の方法を用いることができる。
【００４４】
次いで、印刷予測プロファイル作成部５０は、以上のようにして求められた目標分光反射率Ｒから、例えば、測色値Ｘ、Ｙ、Ｚ又は測色値Ｌ*、ａ*、ｂ*を算出し（ステップＳ１３）、この測色値Ｘ、Ｙ、Ｚ又は測色値Ｌ*、ａ*、ｂ*と、カラーチャートＣ１の作成に使用した画像データＣ１、Ｍ１、Ｙ１、Ｋ１との関係である印刷予測プロファイル２０を作成する（ステップＳ１４）。所望の変更濃度に応じて作成された印刷予測プロファイル２０は、色変換装置１６に設定される。
【００４５】
一方、色変換装置１６から画像データＣ２、Ｍ２、Ｙ２、Ｋ２をプリンタ１８に供給し、カラーチャートＣ１を印刷する場合（ステップＳ１）と同様にして、複数のカラーパッチからなるカラーチャートＣ２を記録媒体上に出力する（図８、ステップＳ２１）。
【００４６】
出力されたカラーチャートＣ２の各カラーパッチは、測色計５２によって測色値、例えば、測色値Ｘ、Ｙ、Ｚ又は測色値Ｌ*、ａ*、ｂ*が測定される（ステップＳ２２）。そして、プリンタプロファイル作成部５４は、測定された測色値Ｘ、Ｙ、Ｚ又は測色値Ｌ*、ａ*、ｂ*と、カラーチャートＣ２の作成に使用した画像データＣ２、Ｍ２、Ｙ２、Ｋ２との関係であるプリンタプロファイル２２を作成する（ステップＳ２３）。作成されたプリンタプロファイル２２は、色変換装置１６に設定される。なお、プリンタプロファイル２２は、変更濃度条件に依存しないため、プリンタ１８の条件が変わらない限り、一度設定するだけでよい。
【００４７】
以上のようにして印刷予測プロファイル２０及びプリンタプロファイル２２を設定した後、所望の画像データＣ１、Ｍ１、Ｙ１、Ｋ１から得られる印刷物Ｐ１に対するプルーフＰ２を作成する。
【００４８】
編集装置１２は、所望の画像データＣ１、Ｍ１、Ｙ１、Ｋ１を作成し、色変換装置１６に供給する（図９、ステップＳ３１）。色変換装置１６では、印刷予測プロファイル２０を用いて、画像データＣ１、Ｍ１、Ｙ１、Ｋ１がデバイスに依存しない測色値、例えば、測色値Ｘ、Ｙ、Ｚ又は測色値Ｌ*、ａ*、ｂ*に変換される（ステップＳ３２）。この場合、印刷予測プロファイル２０は、Ｃ、Ｍ、Ｙ、Ｋの各色が、１００％の網点％において所望の目標濃度となるように調整されている。
【００４９】
次いで、測色値Ｘ、Ｙ、Ｚ又は測色値Ｌ*、ａ*、ｂ*は、プリンタプロファイル２２によってプリンタ１８の出力特性に依存した画像データＣ２、Ｍ２、Ｙ２、Ｋ２に変換され（ステップＳ３３）、この画像データＣ２、Ｍ２、Ｙ２、Ｋ２を用いてプルーフＰ２が作成される（ステップＳ３４）。
【００５０】
なお、印刷予測プロファイル２０及びプリンタプロファイル２２を１つのプロファイルに合成し、このプロファイルを用いて画像データＣ１、Ｍ１、Ｙ１、Ｋ１から直接、画像データＣ２、Ｍ２、Ｙ２、Ｋ２を求めるようにしてもよい。
【００５１】
また、分光反射率測定器３４を用いてカラーチャートＣ１の分光反射率を測定する代わりに、分光濃度計を用いてカラーチャートＣ１の分光濃度を測定し、この分光濃度から印刷予測プロファイル２０を作成することもできる。
【００５２】
この場合、例えば、Ｃ１００％のみからなる単色ベタ濃度パッチ２８の基準濃度条件での分光濃度をＤC(std)、Ｍ１００％のみからなる単色ベタ濃度パッチ２８の基準濃度条件での分光濃度をＤM(std)、Ｃ１００％のみからなる単色ベタ濃度パッチ２８の所定の変更濃度条件での分光濃度を（ＤC(std)＋ΔＤC）、Ｍ１００％のみからなる単色ベタ濃度パッチ２８の所定の変更濃度条件での分光濃度を（ＤM(std)＋ΔＤM）とすると、Ｃ１００％且つＭ１００％の網点％からなるカラーパッチ３０を所定の変更濃度条件で作成したときの分光濃度ＤCMは、
ＤCM＝（ＤC(std)＋ΔＤC）＋（ＤM(std)＋ΔＤM）
＝（ＤC(std)＋ＤM(std)）
＋［｛（ＤC(std)＋ＤM(std)）＋ΔＤC｝−（ＤC(std)＋ＤM(std)）］
＋［｛（ＤC(std)＋ＤM(std)）＋ΔＤM｝−（ＤC(std)＋ＤM(std)）］
…（１０）
と表すことができる。この場合、（１０）式の右辺第１項は、Ｃ１００％且つＭ１００％の網点％からなる単色ベタ濃度パッチ２８を基準濃度条件で作成したときの基準分光濃度を表し、右辺第２項は、Ｃ１００％且つＭ１００％の網点％からなる単色ベタ濃度パッチ２８のＣ１００％のみの濃度を所定の変更濃度条件に変更したときの分光濃度の前記基準濃度条件からの差分量を表し、右辺第３項は、Ｃ１００％且つＭ１００％の網点％からなるカラーパッチ３０のＭ１００％のみの濃度を所定の変更濃度条件に変更したときの分光濃度の前記基準濃度条件からの差分量を表している。
【００５３】
従って、Ｃ及びＭの両方の色の濃度を変更したときの分光濃度ＤCMは、分光反射率ＲCMの場合と同様に、Ｃ又はＭの一方の濃度を固定した状態で他方の濃度を変更させたときの差分量を、基準濃度条件での基準分光濃度（ＤC(std)＋ＤM(std)）に加算して算出することができる。しかも、分光反射率ＲCMを求める（１）式と異なり、誤差となるΔＲC・ΔＲMの項がないため、分光濃度ＤCMを高精度に求めることができる。
【００５４】
この結果、プロファイル作成装置２４において、所望の変更濃度条件でＣ、Ｍ、Ｙ、Ｋを任意の濃度に変更したときの目標分光濃度Ｄは、基準分光濃度をＤstd、Ｃのみの濃度を変更したときの分光濃度差分量をＤΔC、Ｍのみの濃度を変更したときの分光濃度差分量をＤΔM、Ｙのみの濃度を変更したときの分光濃度差分量をＤΔY、Ｋのみの濃度を変更したときの分光濃度差分量をＤΔKとして、（１０）式から、
Ｄ＝Ｄstd＋ＤΔC＋ＤΔM＋ＤΔY＋ＤΔK                      …（１１）
として高精度に求めることができる。
【００５５】
そこで、目標分光反射率Ｒを求めた場合と同様にして、基準分光濃度Ｄstdを基準濃度である修正基準分光濃度に置き換えるとともに、正確な分光濃度差分量ＤΔC、ＤΔM、ＤΔY、ＤΔKを算出し、これらから印刷予測プロファイル２０を求める。なお、修正基準分光濃度及び分光濃度差分量は、波長毎に設定した方程式を連立させて求める。
【００５６】
目標分光濃度Ｄを演算するための対象となるカラーパッチがＣ、Ｍ、Ｙの３色からなる場合には、分光濃度差分量ＤΔKを０に設定して目標分光濃度Ｄを演算することが望ましい。同様に、目標分光濃度Ｄを演算するための対象となるカラーパッチがＣ、Ｍの２色からなる場合は、分光濃度差分量ＤΔY、ＤΔKを０に設定して目標分光濃度Ｄを演算することが望ましい。
【００５７】
また、分光反射率又は分光濃度に代えて、測色濃度又は測色値を用いて印刷予測プロファイル２０を作成することもできる。この場合、測色濃度については、Ｘ濃度、Ｙ濃度、Ｚ濃度毎に設定した方程式を連立させ、測色値については、測色値Ｘ、Ｙ、Ｚ毎に設定した方程式を連立させて求める。なお、Ｘ濃度、Ｙ濃度、Ｚ濃度とは、分光感度を等色関数ｘ（λ）、ｙ（λ）、ｚ（λ）（λ：波長）としたときの各濃度である。
【００５８】
ところで、上記の各説明では、基準濃度からの濃度変更に対応した印刷予測プロファイル２０を求めるようにしているが、印刷機１４で印刷可能なＣ、Ｍ、Ｙ、Ｋの最大濃度と最小濃度との間の中間濃度を基準濃度として設定し、この中間濃度を基準として作成した基準濃度カラーチャート及び変更濃度カラーチャートに基づいて印刷予測プロファイル２０を作成するようにしてもよい。なお、中間濃度は、最大濃度と最小濃度との平均値、あるいは、最大濃度と最小濃度との間の任意の濃度として設定することができる。
【００５９】
また、印刷機１４により作成される印刷物Ｐ１の色は、印刷に使用する用紙、インキ、ドットゲイン等の印刷条件によって変動するため、色変換装置１６では、これらの印刷条件の変更を考慮した色変換処理を行うことが望ましい。
【００６０】
図１０は、色変換装置１６の一部を構成し、ＩＣＣに基づいてプロファイル作成装置２４で作成される印刷予測プロファイル２０を用いて、画像データＣ、Ｍ、Ｙ、Ｋを測色値Ｘ、Ｙ、Ｚ等に変換する色変換モジュール８７を示す。色変換モジュール８７は、画像データＣ、Ｍ、Ｙ、Ｋを、ドットゲインの印刷条件を反映した印刷予測プロファイル２０に従った画像データＣ、Ｍ、Ｙ、Ｋに変換する入力側１次元ＬＵＴ（ルックアップテーブル）８８と、画像データＣ、Ｍ、Ｙ、Ｋを、インキの印刷条件を反映した印刷予測プロファイルに従った測色値Ｘ、Ｙ、Ｚ等に変換する４次元ＬＵＴ９０と、測色値Ｘ、Ｙ、Ｚ等を、印刷予測プロファイルに従った所望の測色値Ｘ、Ｙ、Ｚ等に変換する出力側１次元ＬＵＴ９２と、測色値Ｘ、Ｙ、Ｚ等を、印刷用紙の印刷条件を反映した印刷予測プロファイルに従った測色値Ｘ、Ｙ、Ｚ等に変換する測色値変換部９４とから構成される。
【００６１】
先ず、印刷用紙を変更する場合について説明する。
【００６２】
ＩＣＣの仕様に従った印刷予測プロファイルの４次元ＬＵＴ９０から出力される測色値は、印刷用紙が基準白色に等しくなるようにした相対値で表される。すなわち、４次元ＬＵＴ９０は、測色値Ｘ、Ｙ、Ｚの場合、印刷用紙（Ｃ＝Ｍ＝Ｙ＝Ｋ＝０）の画像データＣ、Ｍ、Ｙ、Ｋを、基準光源（Ｄ５０光源）の測色値Ｘ、Ｙ、Ｚとなるように、測色値Ｌ*、ａ*、ｂ*の場合、印刷用紙（Ｃ＝Ｍ＝Ｙ＝Ｋ＝０）の画像データＣ、Ｍ、Ｙ、Ｋを、測色値Ｌ*＝１００、ａ*＝ｂ*＝０となるように変換するよう規定されている。
【００６３】
そこで、測色値変換部９４は、プロファイル作成装置２４で作成される印刷予測プロファイルである印刷用紙の測色値Ｘ、Ｙ、Ｚ等（色情報）に従い、前記「相対値」を使用する印刷用紙に応じた「絶対値」に変換する。具体的には、例えば、基準光源（Ｄ５０光源）下における印刷物の絶対測色値は、出力側１次元ＬＵＴ９２から供給される相対測色値と、印刷予測プロファイルである基準光源（Ｄ５０光源）下の印刷用紙の用紙測色値と、基準光源（Ｄ５０光源）の光源測色値とを用いて、
絶対測色値＝相対測色値×用紙測色値÷光源測色値
として求められる。なお、測色値変換部９４に入力される測色値が相対値の測色値Ｌ*、ａ*、ｂ*の場合、相対値の測色値Ｘ、Ｙ、Ｚに変換してから、上式に従い絶対値の測色値Ｘ、Ｙ、Ｚへの変換が行われる。
【００６４】
この場合、使用するインキやドットゲインが変わらないとき、使用する印刷用紙の測色値Ｘ、Ｙ、Ｚ等を印刷予測プロファイルとして与えるだけで、カラーチャートＣ１を印刷することなく、印刷用紙に応じた測色値Ｘ、Ｙ、Ｚ等を得ることができる。なお、ＩＣＣでは、印刷用紙の測色値をメディア白色点タグとして与えるように規定されている。
【００６５】
次に、ドットゲインが変動する場合について説明する。
【００６６】
ドットゲインは、印刷機１４を構成するブランケットの劣化や交換により変動し、また、印刷機１４の温度、湿度によっても変動する。使用するインキが変わらないとき、ドットゲインの変動分を入力側１次元ＬＵＴ８８に反映させることで、ドットゲインの変動を考慮した画像データＣ、Ｍ、Ｙ、Ｋを得ることができる。
【００６７】
そこで、プロファイル作成装置２４では、カラーチャートＣ１における画像データＣ、Ｍ、Ｙ、Ｋの１つと、測色値Ｘ、Ｙ、Ｚ等の１つとの関係に注目し、ドットゲインの変動後のカラーチャートＣ１を印刷して測色することにより、ドットゲインの変動後の画像データＣ、Ｍ、Ｙ、Ｋを印刷予測プロファイルとして作成し、この印刷予測プロファイルを用いて入力側１次元ＬＵＴ８８を修正する。
【００６８】
図１１は、例えば、画像データＣの網点％と測色値Ｘとのドットゲイン変動前後の関係を示す。実線はドットゲインの変更前の関係、点線はドットゲインの変更後の関係である。網点％が０％及び１００％では変動が生じない。なお、画像データＣ、Ｍ、Ｙ、Ｋと測色値Ｘ、Ｙ、Ｚとは、変化が最も大きくなるもの同士を選択することにより、測定による誤差を最小限にすることができる。例えば、画像データＣと測色値Ｘ、画像データＭと測色値Ｙ、画像データＹ（Ｙｅｌｌｏｗ）と測色値Ｚ、画像データＫと測色値Ｙの関係を選択すると好適である。
【００６９】
例えば、図１１において、画像データＣの網点％が６０％のとき、ドットゲイン変動後の測色値Ｘを得ることのできるドットゲイン変動前の画像データＣの網点％は、６８％である。従って、入力される６０％の画像データＣを６８％の画像データＣとして出力するように、入力側１次元ＬＵＴ８８を修正することにより、ドットゲインの影響を考慮した画像データＣを得ることができる。図１２は、これらの関係に基づいて修正された入力側１次元ＬＵＴ８８を示す。なお、実線は、ドットゲイン変動前のＣの入力側１次元ＬＵＴ８８を表し、点線は、ドットゲイン変動後のＣの入力側１次元ＬＵＴ８８を表す。
【００７０】
次に、使用するインキを変更する場合について説明する。
【００７１】
プロファイル作成装置２４は、印刷機１４を基準濃度条件に設定してカラーチャートＣ１を作成し、測色計によりカラーチャートＣ１の測色値、例えば、測色値Ｘ、Ｙ、Ｚを測定する。そして、カラーチャートＣ１の画像データＣ、Ｍ、Ｙ、Ｋに対する測色値Ｘ１、Ｙ１、Ｚ１の関係を印刷予測プロファイルとして求める。次いで、前記基準濃度条件からインキのみを変更した後、同様にして、カラーチャートＣ１の画像データＣ、Ｍ、Ｙ、Ｋに対する測色値Ｘ２、Ｙ２、Ｚ２の関係を印刷予測プロファイルとして求める。
【００７２】
次いで、これらの測色値Ｘ１、Ｙ１、Ｚ１及びＸ２、Ｙ２、Ｚ２の差分量ΔＸ、ΔＹ、ΔＺを求め、この差分量ΔＸ、ΔＹ、ΔＺと画像データＣ、Ｍ、Ｙ、Ｋとの関係を差分ルックアップテーブルとする。プロファイル作成装置２４は、前記差分ルックアップテーブルを用いて、所定の濃度変動条件に対して設定されている印刷予測プロファイルを修正し、修正された印刷予測プロファイルを用いて、画像データＣ、Ｍ、Ｙ、Ｋを測色値Ｘ、Ｙ、Ｚに変換する４次元ＬＵＴ９０を作成する。なお、印刷予測プロファイルを修正するのではなく、既に作成されている基準濃度条件に対する４次元ＬＵＴ９０の出力値である測色値Ｘ、Ｙ、Ｚを修正するようにしてもよい。
【００７３】
このようにして４次元ＬＵＴ９０を作成することにより、必要最小限のカラーチャートＣ１を印刷して測色するだけで、所望の４次元ＬＵＴ９０を得ることができる。また、インキ及び印刷用紙の両方を変更して差分量ΔＸ、ΔＹ、ΔＺを求めることにより、印刷用紙及びインキの両方を考慮した４次元ＬＵＴ９０を得ることができる。
【００７４】
なお、測色計によって測定されるカラーチャートＣ１の測色値は、理想的には、図１３の点線で示すように、濃度変動に対して単調に変化するはずであるが、カラーチャートＣ１の印刷状態のばらつきや、測色誤差の影響により、図１３の実線で示すように、大きく変動した値として測定されてしまうことがある。同様に、測色値差分量についても、図１４の点線で示すように、濃度変動に対して単調に変化するはずであるにも拘わらず、図１４の実線で示すように、大きく変動した値として測定されてしまうことがある。
【００７５】
そこで、これらの測色値又は差分量に対してスムージング処理を施すと好適である。スムージング処理としては、濃度変動方向に隣接する測色値又は差分量を平均化する方法、単調変化から大きく外れている部分のみを、隣接する測色値又は差分量で補間する方法等を採用することができる。分光反射率又は分光反射率差分量、分光濃度又は分光濃度差分量、測色濃度又は測色濃度差分量に対しても、同様にしてスムージング処理を施すと好適である。分光反射率、分光反射率差分量、分光濃度、分光濃度差分量に対しては、波長毎にスムージング処理を施す。
【００７６】
なお、本発明は、上述した実施形態に限定されるものではなく、本発明の主旨を逸脱しない範囲で自由に変更できることは勿論である。
【００７７】
例えば、印刷色予測システム１０では、プリンタ１８を用いてプルーフＰ２を作成するよう構成しているが、プリンタ１８に代えて、例えば、カラーモニタにプルーフＰ２を表示するようにしてもよい。この場合、プロファイル作成装置２４は、カラーモニタに表示させたカラーチャートＣ２を測色することでモニタプロファイルを作成し、このモニタプロファイルを色変換装置１６に設定することになる。
【００７８】
また、Ｃ、Ｍ、Ｙ、Ｋの４色に対する印刷予測プロファイル２０を作成する場合に限られるものではなく、２色以上の任意の色数に対する印刷予測プロファイル２０を作成する場合にも適用することができる。
【００７９】
さらに、印刷物Ｐ１に用いる色材としては、インキに限られるものではなく、例えば、トナーを用いることもできる。
【図面の簡単な説明】
【００８０】
【図１】本実施形態の印刷色予測システムの構成図である。
【図２】カラーチャートの説明図である。
【図３】図１に示すプロファイル作成装置における印刷予測プロファイルを作成する機能の構成ブロック図である。
【図４】図１に示すプロファイル作成装置におけるプリンタプロファイルを作成する機能の構成ブロック図である。
【図５】印刷予測プロファイルの作成フローチャートである。
【図６】基準濃度条件及び変更濃度条件に対する分光反射率の説明図である。
【図７】基準濃度条件及び変更濃度条件に対する分光反射率の説明図である。
【図８】プリンタプロファイルの作成フローチャートである。
【図９】プルーフの作成フローチャートである。
【図１０】印刷予測プロファイルのモジュール構成のブロック図である。
【図１１】画像データＣの網点％と測色値Ｘとのドットゲイン変動前後の関係説明図である。
【図１２】入力側１次元ＬＵＴの説明図である。
【図１３】濃度変動量と測色値との関係説明図である。
【図１４】濃度変動量と測色値差分量との関係説明図である。
【符号の説明】
【００８１】
１０…印刷色予測システム
１２…編集装置
１４…印刷機
１６…色変換装置
１８…プリンタ
２０…印刷予測プロファイル
２２…プリンタプロファイル
２４…プロファイル作成装置
２６…印刷用紙
２８…単色ベタ濃度パッチ
３０…カラーパッチ
３２…インキキー
３４…分光反射率測定器
３６…分光反射率記憶部
３８…単色ベタ濃度算出部
４０…濃度差算出部
４２…修正基準分光反射率／分光反射率差分量算出部
４４…修正基準分光反射率／分光反射率差分量記憶部
４６…目標濃度設定部
４８…目標分光反射率算出部
５０…印刷予測プロファイル作成部
５２…測色計
５４…プリンタプロファイル作成部
８７…色変換モジュール
８８…入力側１次元ＬＵＴ
９０…４次元ＬＵＴ
９２…出力側１次元ＬＵＴ
９４…測色値変換部
Ｃ１、Ｃ２…カラーチャート
Ｐ１…印刷物
Ｐ２…プルーフ
【図１】
2010074231.tif 000003
【図２】
2010074231.tif 000004
【図３】
2010074231.tif 000005
【図４】
2010074231.tif 000006
【図５】
2010074231.tif 000007
【図６】
2010074231.tif 000008
【図７】
2010074231.tif 000009
【図８】
2010074231.tif 000010
【図９】
2010074231.tif 000011
【図１０】
2010074231.tif 000012
【図１１】
2010074231.tif 000013
【図１２】
2010074231.tif 000014
【図１３】
2010074231.tif 000015
【図１４】
2010074231.tif 000016